(57)【要約】【課題】装着している容器から容易に分離することができるシュリンクラベルを提供すること。【解決手段】１枚の熱収縮性フィルムの両端部分が重ね合わせれて接合された重ね合わせ部（１１）を有する筒状のフィルム（１０）を、ガラス瓶やプラスチックボトル等の容器（２０）外周面に装着し、熱収縮して容器に密着させて用いるシュリンクラベル（１０）であって、前記重ね合わせ部（１１）の一部に未接合部分（１２）が形成されている。未接合部分（１２）は筒状のフィルム（１０）の上端部又は、及び下端部に存在している。未接合部分（１２）には剥離ニスが塗布されている。【選択図】図１
2004212758.tif 000002
【特許請求の範囲】
【請求項１】
１枚の熱収縮性フィルムの両端部分が重ね合わされて接合された重ね合わせ部を有する筒状のフィルムを、ガラス瓶やプラスチックボトル等の容器の外周面に装着し、熱収縮して容器に密着させて用いるシュリンクラベルであって、前記重ね合わせ部の一部に未接合部分が形成されていることを特徴とする、シュリンクラベル。
【請求項２】
前記重ね合わせ部の未接合部分が、筒状のフィルムの上端部又は、及び下端部に存在していることを特徴とする、請求項１記載のシュリンクラベル。
【請求項３】
前記未接合部分に剥離ニスが塗布されていることを特徴とする、請求項１又は２記載のシュリンクラベル。
【請求項４】
前記未接合部分に塗布されている剥離ニスがシュリンクラベルの外表面に塗布されている傷防止用オーバーコートニスと同一であることを特徴とする、請求項３記載のシュリンクラベル。
【発明の詳細な説明】
【０００１】
【発明の属する技術分野】
本発明は、ペットボトルをはじめとするガラスびんやプラスチックボトルの胴部等の全周に熱収縮力により密着されるシュリンクラベルに関し、特には、ボトル等の容器から分離し易いシュリンクラベルに関する。
【０００２】
【従来の技術】
ペットボトルをはじめとするガラスびんやプラスチックボトル等の容器の胴部の全周に熱収縮力により密着させたシュリンクラベルが広く使用されている。
【０００３】
このシュリンクラベルが容器の胴部全周に巻かれたペットボトル等の容器は、水、ジュース等を充填した容器として広く流通している。
【０００４】
一方、近年地球環境保護の高まりと共に、シュリンクラベルが容器の全周に巻かれたペットボトル等の容器についても、使用後の容器廃棄の際、分別ゴミの区分に対応し易いようにシュリンクラベルが容器と簡単に分離できる必要性が高まっている。
【０００５】
この要求を満足させる方法として、一般的にはシュリンクラベルの両端部分の重ね合わせ部近傍に重ね合わせ部と平行にミシン目線を入れたり、カットテープを挿入したりする方法が取られている。
【０００６】
しかしながら、ミシン目線を入れる方法では真っ直ぐに切れず剥がしにくい、熱収縮時にミシン目線が広がってしまい外観が良くない、ミシン目線を設けることによるデザイン上の制約を受ける、等の問題がある。
【０００７】
【発明が解決しようとする課題】
本発明は、ガラスびんやプラスチックボトルの胴部の全周に熱収縮力により密着させたシュリンクラベルに関する以上のような問題点に鑑みてなされたもので、装着している容器から容易に分離することができるシュリンクラベルを提供することを課題とする。
【０００８】
【課題を解決するための手段】
本発明の請求項１の発明は、１枚の熱収縮性フィルムの両端部分が重ね合わされて接合された重ね合わせ部を有する筒状のフィルムを、ガラス瓶やプラスチックボトル等の容器の外周面に装着し、熱収縮して容器に密着させて用いるシュリンクラベルであって、前記重ね合わせ部の一部に未接合部分が形成されていることを特徴とする、シュリンクラベルである。
【０００９】
このように請求項１記載の発明によれば、１枚のフィルムの重ね合わせ部の一部に未接合部分を有しているので、未接合部分がきっかけとなって容易にシュリンクラベルを容器から分離することができる。
【００１０】
また、請求項２の発明は、請求項１の発明において、前記重ね合わせ部の未接合部分が、筒状のフィルムの上端部又は、及び下端部に存在していることを特徴とする、シュリンクラベルである。
【００１１】
このように請求項２記載の発明によれば、筒状シュリンクラベルの上端部又は、及び下端部に未接合部分が存在しているので、簡単に未接合部分を掴むことができ、そこから容易にシュリンクラベルを容器から分離することができる。
【００１２】
また、請求項３の発明は、請求項１又は２の発明において、前記未接合部分に剥離ニスが塗布されていることを特徴とする、シュリンクラベルである。
【００１３】
このように請求項３記載の発明によれば、未接合部分には剥離ニスが塗布されているので、例え重ね合わせ部に溶剤が塗布されたとしても未接合部分は接着せずに、未接合のまま残すことができる。
【００１４】
また、請求項４の発明は、請求項３の発明において、前記未接合部分に塗布されている剥離ニスがシュリンクラベルの外表面に塗布されている傷防止用オーバーコートニスと同一であることを特徴とする、シュリンクラベルである。
【００１５】
このように請求項４記載の発明によれば、未接合部分に塗布されている剥離ニスがシュリンクラベルの外表面に塗布されている傷防止用オーバーコートニスと同一であるので、新たなニスを必要とせずニス塗布時の効率が良い。
【００１６】
【発明の実施の形態】
本発明のシュリンクラベルを一実施形態に基づいて以下に詳細に説明する。
本発明のシュリンクラベルは、例えば図１、図２に示すように、１枚の熱収縮性フィルム（１０）の両端部分が重ね合わされて接合された重ね合わせ部（１１）を有する筒状のフィルム（１０）を、ガラス瓶やプラスチックボトル等の容器（２０）の外周面に装着し、熱収縮して容器に密着させて用いるシュリンクラベルである。
そして、重ね合わせ部（１１）の一部に未接合部分（１２）が形成されているものである。
【００１７】
シュリンクラベルに使用される熱収縮性フィルム（１０）には、横一軸延伸ポリスチレン（ＯＰＳ）フィルム、横一軸延伸ポリエチレンテレフタレート（ＯＰＥＴ）フィルム、横一軸延伸ポリプロピレン（ＯＰＰ）フィルム、横一軸延伸ポリ塩化ビニル（ＯＰＶＣ）フィルムなどが列記でき、単層フィルムよりも特に複層フィルムが好ましく使用できる。その理由は、複層フィルムであれば重ね合わせ部を剥がした際にフィルムの層間剥離となるので剥離が容易になるためである。
【００１８】
熱収縮性フィルム（１０）には、あらかじめ必要な絵柄、文字等を印刷により設けておくことが一般的である。また、印刷層（図示せず）を設けた場合、印刷層の上面には傷防止用のオーバーコートニス（図示せず）を塗布しておく。
また、シュリンクラベルとする場合には、熱収縮性フィルムは一般的に４０〜６０μｍ程度の厚さのものが好ましく用いられる。
【００１９】
その際、熱収縮性フィルム（１０）の表面の一方の端縁で、完成時にシュリンクラベルの上端部又は、及び下端部となる部分（１３）に、グラビア印刷法などの手法により傷防止用のオーバーコートニスを剥離ニス（１３）として塗布しておく。このことにより、重ね合わせ部（１１）に未接合部分（１２）を容易に形成することができる。
【００２０】
剥離ニスは、図１では上端部に形成させたが、塗布位置は上端部と限定されず、下端部でも良いし、上端部と下端部の両方に形成させても良い。
【００２１】
熱収縮性フィルム（１０）の一方の端縁の裏面に、熱収縮性フィルムに適度に溶解性を有する溶剤、例えば、テトラヒドロフランなどの環状エーテル系溶剤をグラビア印刷法などの手法で塗布する。
【００２２】
ついで、この熱収縮性フィルムの溶剤塗布部分をもう一方の溶剤が塗布されていない方の端縁と重ね合わせて、スリーブ状に加工し、製品であるシュリンクラベル用スリーブ（１５）に巻き取る（図２参照）。
なお。巻き取らずに、断裁して枚葉式のシュリンクラベル用スリーブとしても良い。
【００２３】
つぎに、出来上がったシュリンクラベル用スリーブ（１５）の巻き取りから、ペットボトル等の容器にシュリンクラベルを装着するまでの工程の一例を簡単に説明する。
【００２４】
先ず、シュリンクラベル用スリーブの巻き取りをラベル装着機にセットして、１枚ずつの筒状のシュリンクラベルに断裁しペットボトル等の容器の胴部に装着する。
装着した容器をシュリンクトンネルに通して、スリーブを収縮させてラベルを容器に密着させ、シュリンクラベルを密着させた容器が出来上がる（図３参照）。
容器への内容物の充填は、容器にシュリンクラベルを装着する前に行っても良いし、シュリンクトンネルを通して収縮させた後に行っても良い。
【００２５】
出来上がったシュリンクラベルを密着させた容器は、シュリンクラベルの重ね合わせ部に未接合部があるため、ラベルのひきつれ（そり）が多少起こっているが、このそりも切れ易さに貢献して，ラベル未接合部の先端を持って引っ張ることにより容易に容器からシュリンクラベルを分離することができる。
【００２６】
【発明の効果】
上記のように、本発明のシュリンクラベルを使用することにより、従来のようにミシン目線を入れる必要がなくなる。
また重ね合わせ部の接合部分を剥がすのでミシン目線の場合と異なり、横にずれて切れにくいという不都合が解決される。
ミシン目線によるデザイン上の制約もなくなる。
【図面の簡単な説明】
【図１】本発明のシュリンクラベルの一実施例を示す、斜視説明図である。
【図２】本発明のシュリンクラベルが連続して作製されているシュリンクラベル用スリーブの一実施例を示す、斜視説明図である。
【図３】本発明のシュリンクラベルを容器に装着した使用状態の一実施例を示す、斜視説明図である。
【符号の説明】
１０‥‥熱収縮性フィルム、筒状のシュリンクラベル
１１‥‥重ね合わせ部
１２‥‥未接合部分
１３‥‥ニス塗布部、剥離ニス
１５‥‥シュリンクラベル用スリーブ
２０‥‥容器
【図１】
2004212758.tif 000003
【図２】
2004212758.tif 000004
【図３】
2004212758.tif 000005